(57)【要約】      （修正有）【課題】弱電界、強電界を問わず、無線環境に適応して通信スループットの低下を抑制することができる無線通信システム、システムの制御方法、無線通信端末、及び無線通信基地局を提供する。【解決手段】無線通信端末１は、無線信号のチャネルに係る下り連続受信エラーフレーム数をカウントする第１のカウンタ１２と、第１のカウンタ１２がカウントした下り連続受信エラーフレーム数とチャネルに係る通信品質とに基づいてチャネルを切断するか否かを判定する第１の制御部１５とを備え、無線通信基地局２は、チャネルに係る上り連続受信エラーフレーム数をカウントする第２のカウンタ２２と、第２のカウンタ２２がカウントした上り連続受信エラーフレーム数とチャネルに係る通信品質とに基づいてチャネルを切断するか否かを判定する第２の制御部２５とを備える。【選択図】図１
2014179691.tif 000002
【特許請求の範囲】
【請求項１】
無線通信端末と無線通信基地局とが１つ以上の無線信号のチャネルにより通信する無線通信システムにおいて、
前記無線通信端末は、
前記チャネルに係る下り連続受信エラーフレーム数をカウントする第１のカウンタと、
該第１のカウンタがカウントした前記下り連続受信エラーフレーム数と前記チャネルに係る通信品質とに基づいて前記チャネルを切断するか否かを判定する第１の制御部とを備え、
前記無線通信基地局は、
前記チャネルに係る上り連続受信エラーフレーム数をカウントする第２のカウンタと、
該第２のカウンタがカウントした前記上り連続受信エラーフレーム数と前記チャネルに係る通信品質とに基づいて前記チャネルを切断するか否かを判定する第２の制御部と
を備えることを特徴とする、無線通信システム。
【請求項２】
前記第１の制御部は、
前記チャネルに係る下り受信フレームの通信品質に基づいて、第１の切断判定閾値を変更し、
前記チャネルに係る前記下り連続受信エラーフレーム数が前記第１の切断判定閾値以上である場合、前記チャネルを切断する判定をし、
前記第２の制御部は、
前記チャネルに係る上り受信フレームの通信品質に基づいて、第２の切断判定閾値を変更し、
前記チャネルに係る前記上り連続受信エラーフレーム数が前記第２の切断判定閾値以上である場合、前記チャネルを切断する判定をする
ことを特徴とする、請求項１に記載の無線通信システム。
【請求項３】
前記第１の制御部は、
前記チャネルに係る前記下り受信フレームの通信品質と、前記チャネル以外の他のチャネルに係る前記下り受信フレームの通信品質とに基づいて、前記第１の切断判定閾値を変更し、
前記第２の制御部は、
前記チャネルに係る前記上り受信フレームの通信品質と、前記チャネル以外の他のチャネルに係る前記上り受信フレームの通信品質とに基づいて、前記第２の切断判定閾値を変更する
ことを特徴とする、請求項２に記載の無線通信システム。
【請求項４】
無線通信基地局と無線通信端末とが１つ以上の無線信号のチャネルにより通信する無線通信システムの制御方法において、
前記無線通信端末に係る第１のカウンタが、前記チャネルに係る下り連続受信エラーフレーム数をカウントするステップと、
前記無線通信端末に係る第１の制御部が、前記第１のカウンタがカウントした前記下り連続受信エラーフレーム数と前記チャネルに係る通信品質とに基づいて前記チャネルを切断するか否かを判定するステップとを含み、
前記無線通信基地局に係る第２のカウンタが、前記チャネルに係る上り連続受信エラーフレーム数をカウントするステップと、
前記無線通信基地局に係る第２の制御部が、前記第２のカウンタがカウントした前記上り連続受信エラーフレーム数と前記チャネルに係る通信品質とに基づいて前記チャネルを切断するか否かを判定するステップと
を含むことを特徴とする、無線通信システムの制御方法。
【請求項５】
前記第１の制御部が、
前記チャネルに係る下り受信フレームの通信品質に基づいて、第１の切断判定閾値を変更するステップと、
前記チャネルに係る前記下り連続受信エラーフレーム数が前記第１の切断判定閾値以上である場合、前記チャネルを切断する判定をするステップとを含み、
前記第２の制御部が、
前記チャネルに係る上り受信フレームの通信品質に基づいて、第２の切断判定閾値を変更するステップと、
前記チャネルに係る前記上り連続受信エラーフレーム数が前記第２の切断判定閾値以上である場合、前記チャネルを切断する判定をするステップと
を含むことを特徴とする、請求項４に記載の無線通信システムの制御方法。
【請求項６】
前記第１の切断判定閾値を変更するステップが、
前記チャネルに係る前記下り受信フレームの通信品質と、前記チャネル以外の他のチャネルに係る前記下り受信フレームの通信品質とに基づいて、前記第１の制御部が、前記第１の切断判定閾値を変更し、
前記第２の切断判定閾値を変更するステップが、
前記チャネルに係る前記上り受信フレームの通信品質と、前記チャネル以外の他のチャネルに係る前記上り受信フレームの通信品質とに基づいて、前記第２の制御部が、前記第２の切断判定閾値を変更する
ことを特徴とする、請求項５に記載の無線通信システムの制御方法。
【請求項７】
無線通信端末と無線通信基地局とが１つ以上の無線信号のチャネルにより通信する無線通信システムにおける無線通信端末において、
前記チャネルに係る下り連続受信エラーフレーム数をカウントする第１のカウンタと、
該第１のカウンタがカウントした前記下り連続受信エラーフレーム数と前記チャネルに係る通信品質とに基づいて前記チャネルを切断するか否かを判定する第１の制御部と
を備えることを特徴とする、無線通信端末。
【請求項８】
前記第１の制御部は、
前記チャネルに係る下り受信フレームの通信品質に基づいて、第１の切断判定閾値を変更し、
前記チャネルに係る前記下り連続受信エラーフレーム数が前記第１の切断判定閾値以上である場合、前記チャネルを切断する判定をする
ことを特徴とする、請求項７に記載の無線通信端末。
【請求項９】
前記第１の制御部は、
前記チャネルに係る前記下り受信フレームの通信品質と、前記チャネル以外の他のチャネルに係る前記下り受信フレームの通信品質とに基づいて、前記第１の切断判定閾値を変更する
ことを特徴とする、請求項８に記載の無線通信端末。
【請求項１０】
無線通信端末と無線通信基地局とが１つ以上の無線信号のチャネルにより通信する無線通信システムにおける無線通信基地局において、
前記チャネルに係る上り連続受信エラーフレーム数をカウントする第２のカウンタと、
該第２のカウンタがカウントした前記上り連続受信エラーフレーム数と前記チャネルに係る通信品質とに基づいて前記チャネルを切断するか否かを判定する第２の制御部と
を備えることを特徴とする、無線通信基地局。
【請求項１１】
前記第２の制御部は、
前記チャネルに係る上り受信フレームの通信品質に基づいて、第２の切断判定閾値を変更し、
前記チャネルに係る前記上り連続受信エラーフレーム数が前記第２の切断判定閾値以上である場合、前記チャネルを切断する判定をする
ことを特徴とする、請求項１０に記載の無線通信基地局。
【請求項１２】
前記第２の制御部は、
前記チャネルに係る前記上り受信フレームの通信品質と、前記チャネル以外の他のチャネルに係る前記上り受信フレームの通信品質とに基づいて、前記第２の切断判定閾値を変更する
ことを特徴とする、請求項１１に記載の無線通信基地局。
【発明の詳細な説明】
【技術分野】
【０００１】
本発明は、無線通信システム、システムの制御方法、無線通信端末、及び無線通信基地局に関する。
【背景技術】
【０００２】
従来、マルチリンク方式により複数の回線を用いて無線データ通信を行う無線データ通信装置であって、回線状態を監視して得られた監視情報によりデータパスを切り替えて回線選択を行う装置が知られている（例えば、特許文献１）。これは通信品質等の状態の悪い回線を切り離し、別の回線を使ってデータを送信するものである。
【先行技術文献】
【特許文献】
【０００３】
【特許文献１】特開２０００−１７４７７０号公報
【発明の概要】
【発明が解決しようとする課題】
【０００４】
ところが、通信エリア境界等の弱電界で無線通信を維持するため従来のチャネル（回線）切断機能は、強電界において通信中のチャネルで連続受信エラーが発生した場合、当該チャネルの切断（切り替え）を円滑に行うことを抑制する場合があった。以下に図面を参照して説明する。
【０００５】
図５は、従来の無線通信端末の動作を示すフローチャート図である。なお図５は、無線通信基地局と通信する複数のチャネルのうち、ある１つのチャネルに対する動作を示す。まず従来の無線通信端末は、ダウンリンク（下り）通信に係るフレーム受信を待っている（ステップＳ１０１）。次に、フレーム受信に成功したか否かを判別する（ステップＳ１０２）。ステップＳ１０２において、フレーム受信に成功した場合、連続受信エラーフレーム数をゼロに設定し（ステップＳ１０３）、ステップＳ１０１に戻る。一方、ステップＳ１０２において、フレーム受信に失敗した場合、連続受信エラーフレーム数をインクリメントする（ステップＳ１０４）。続いて、連続受信エラーフレーム数が所定の規定値（例えば、１０回。なお１フレームあたり５ｍ秒。）以上であるか否かを判別する（ステップＳ１０５）。ステップＳ１０５において、連続受信エラーフレーム数が１０回以上である場合、チャネルを切断して、未使用の他のチャネルで再接続して（ステップＳ１０６）、処理を終了する。一方、ステップＳ１０５において、連続受信エラーフレーム数が１０回未満である場合、ステップＳ１０１に戻る。
【０００６】
図６及び図７を参照して、従来の無線通信端末の弱電界における連続受信エラー発生時の動作について具体的に説明する。図６は、従来の無線通信端末の弱電界における連続受信エラー発生時のチャネル動作の説明図である。図７は、従来の無線通信端末の弱電界における連続受信エラー発生時のチャネル受信状態の説明図である。図６及び図７では、無線通信端末は、３つのチャネル（チャネル１，３，５）を用いて無線通信基地局２と通信している。また図６及び図７では、ＡＦＮ（Absolute Frame Number：絶対フレーム番号）１００〜１１５までの計１６フレームを示している。
【０００７】
まずＡＦＮ１００及び１０１において、チャネル３に係る下り受信品質は-１０６ｄＢｍである。次にＡＦＮ１０２〜１０８において、チャネル３で受信エラーフレームが連続して７回発生しており、この間は２つのチャネルで通信しているため通信スループットが低下している。そしてＡＦＮ１０９〜１１５において、チャネル３は受信成功と受信失敗を繰り返している。弱電界においては、通信品質の低下したチャネルを切断して未使用の新たなチャネルに切り替えても、再接続できる蓋然性が低いため、受信成功と受信失敗とが繰り返されるような場合、チャネルを切断せずに接続を維持することが望ましい。従来の無線通信システムは、各チャネル（回線）において連続受信エラーフレーム数が１０回以上とならない限り切断しないため、チャネル３は切断されず、通信を維持できている。
【０００８】
このように、従来の連続受信フレームエラー発生時のチャネル切断機能は、通信エリア境界等の弱電界で最低限の通信スループットを維持するための仕組みとして正常に機能する。
【０００９】
しかしながら、かかるチャネル切断機能は、強電界で突然受信エラーフレームが連続するような状況では、通信スループットを低下させることがあった。すなわち、干渉等の理由によりあるチャネルで突然受信エラーフレームが連続して発生した場合、強電界では当該チャネルを切断して周波数の異なる他のチャネルで再接続することが容易である。しかし、従来のチャネル切断機能では、チャネル切断までの連続受信エラーフレーム数の閾値が１０回で固定であり、受信エラーが１０回以上連続して発生しない限りチャネルを切断しないため、長い時間（５０ｍ秒間）通信スループットが低下していることとなる。
【００１０】
図８及び図９を参照して、従来の無線通信端末の強電界における連続受信エラー発生時の動作について具体的に説明する。図８は、従来の無線通信端末の強電界における連続受信エラー発生時のチャネル動作の説明図である。図９は、従来の無線通信端末の強電界における連続受信エラー発生時のチャネル受信状態の説明図である。図８及び図９では、無線通信端末は、３つのチャネル（チャネル１，３，５）を用いて無線通信基地局２と通信している。また図８及び図９では、ＡＦＮ１００〜１１５までの計１６フレームを示している。
【００１１】
まずＡＦＮ１００及び１０１において、チャネル３に係る下り受信品質は−６９ｄＢｍである。次にＡＦＮ１０２〜１１１において、チャネル３で受信エラーフレームが連続して１０回発生しており、この間は２つのチャネルで通信しているため通信スループットが低下している。ここでＡＦＮ１１１において連続受信エラーフレーム数が１０回以上となったため、チャネル３を切断し、未使用のチャネル７で再接続している。そしてＡＦＮ１１２〜１１５において、３つのチャネル（チャネル１，５，７）を用いて通信しているため通信スループットが維持されている。強電界であるため、チャネル７による再接続が容易に行われている。
【００１２】
このように、強電界においては、チャネル７による再接続が容易であるにも関わらず、チャネル３において連続受信エラーフレーム数が１０回以上となるまでチャネルの切り替えを待たねばならず、その間の通信スループットが低下する問題があった。
【００１３】
かかる問題を解決する手段として、チャネル切断決定までにかかるフレーム数の規定値を少なく設定することが考えられる。しかし、チャネル切断決定までに係るフレーム数を無条件に少なくすると、通信エリア境界等の弱電界で必要以上のチャネル切断が発生し、通信スループットの低下を引き起こす問題があった。
【００１４】
従って、上記のような課題に鑑みてなされた本発明の目的は、弱電界、強電界を問わず、無線環境に適応して通信スループットの低下を抑制することができる無線通信システム、システムの制御方法、無線通信端末、及び無線通信基地局を提供することにある。
【課題を解決するための手段】
【００１５】
上記課題を解決するために本発明に係る無線通信システムは、
無線通信端末と無線通信基地局とが１つ以上の無線信号のチャネルにより通信する無線通信システムにおいて、
前記無線通信端末は、
前記チャネルに係る下り連続受信エラーフレーム数をカウントする第１のカウンタと、
該第１のカウンタがカウントした前記下り連続受信エラーフレーム数と前記チャネルに係る通信品質とに基づいて前記チャネルを切断するか否かを判定する第１の制御部とを備え、
前記無線通信基地局は、
前記チャネルに係る上り連続受信エラーフレーム数をカウントする第２のカウンタと、
該第２のカウンタがカウントした前記上り連続受信エラーフレーム数と前記チャネルに係る通信品質とに基づいて前記チャネルを切断するか否かを判定する第２の制御部と
を備えることを特徴とする。
【００１６】
また本発明に係る無線通信システムは、
前記第１の制御部は、
前記チャネルに係る下り受信フレームの通信品質に基づいて、第１の切断判定閾値を変更し、
前記チャネルに係る前記下り連続受信エラーフレーム数が前記第１の切断判定閾値以上である場合、前記チャネルを切断する判定をし、
前記第２の制御部は、
前記チャネルに係る上り受信フレームの通信品質に基づいて、第２の切断判定閾値を変更し、
前記チャネルに係る前記上り連続受信エラーフレーム数が前記第２の切断判定閾値以上である場合、前記チャネルを切断する判定をする
ことを特徴とする。
【００１７】
また本発明に係る無線通信システムは、
前記第１の制御部は、
前記チャネルに係る前記下り受信フレームの通信品質と、前記チャネル以外の他のチャネルに係る前記下り受信フレームの通信品質とに基づいて、前記第１の切断判定閾値を変更し、
前記第２の制御部は、
前記チャネルに係る前記上り受信フレームの通信品質と、前記チャネル以外の他のチャネルに係る前記上り受信フレームの通信品質とに基づいて、前記第２の切断判定閾値を変更する
ことを特徴とする。
【００１８】
また本発明に係る無線通信システムの制御方法は、
無線通信基地局と無線通信端末とが１つ以上の無線信号のチャネルにより通信する無線通信システムの制御方法において、
前記無線通信端末に係る第１のカウンタが、前記チャネルに係る下り連続受信エラーフレーム数をカウントするステップと、
前記無線通信端末に係る第１の制御部が、前記第１のカウンタがカウントした前記下り連続受信エラーフレーム数と前記チャネルに係る通信品質とに基づいて前記チャネルを切断するか否かを判定するステップとを含み、
前記無線通信基地局に係る第２のカウンタが、前記チャネルに係る上り連続受信エラーフレーム数をカウントするステップと、
前記無線通信基地局に係る第２の制御部が、前記第２のカウンタがカウントした前記上り連続受信エラーフレーム数と前記チャネルに係る通信品質とに基づいて前記チャネルを切断するか否かを判定するステップと
を含むことを特徴とする。
【００１９】
また本発明に係る無線通信システムの制御方法は、
前記第１の制御部が、
前記チャネルに係る下り受信フレームの通信品質に基づいて、第１の切断判定閾値を変更するステップと、
前記チャネルに係る前記下り連続受信エラーフレーム数が前記第１の切断判定閾値以上である場合、前記チャネルを切断する判定をするステップとを含み、
前記第２の制御部が、
前記チャネルに係る上り受信フレームの通信品質に基づいて、第２の切断判定閾値を変更するステップと、
前記チャネルに係る前記上り連続受信エラーフレーム数が前記第２の切断判定閾値以上である場合、前記チャネルを切断する判定をするステップと
を含むことを特徴とする。
【００２０】
また本発明に係る無線通信システムの制御方法は、
前記第１の切断判定閾値を変更するステップが、
前記チャネルに係る前記下り受信フレームの通信品質と、前記チャネル以外の他のチャネルに係る前記下り受信フレームの通信品質とに基づいて、前記第１の制御部が、前記第１の切断判定閾値を変更し、
前記第２の切断判定閾値を変更するステップが、
前記チャネルに係る前記上り受信フレームの通信品質と、前記チャネル以外の他のチャネルに係る前記上り受信フレームの通信品質とに基づいて、前記第２の制御部が、前記第２の切断判定閾値を変更する
ことを特徴とする。
【００２１】
また本発明に係る無線通信端末は、
無線通信端末と無線通信基地局とが１つ以上の無線信号のチャネルにより通信する無線通信システムにおける無線通信端末において、
前記チャネルに係る下り連続受信エラーフレーム数をカウントする第１のカウンタと、
該第１のカウンタがカウントした前記下り連続受信エラーフレーム数と前記チャネルに係る通信品質とに基づいて前記チャネルを切断するか否かを判定する第１の制御部と
を備えることを特徴とする。
【００２２】
また本発明に係る無線通信端末は、
前記第１の制御部は、
前記チャネルに係る下り受信フレームの通信品質に基づいて、第１の切断判定閾値を変更し、
前記チャネルに係る前記下り連続受信エラーフレーム数が前記第１の切断判定閾値以上である場合、前記チャネルを切断する判定をする
ことを特徴とする。
【００２３】
また本発明に係る無線通信端末は、
前記第１の制御部は、
前記チャネルに係る前記下り受信フレームの通信品質と、前記チャネル以外の他のチャネルに係る前記下り受信フレームの通信品質とに基づいて、前記第１の切断判定閾値を変更する
ことを特徴とする。
【００２４】
また本発明に係る無線通信基地局は、
無線通信端末と無線通信基地局とが１つ以上の無線信号のチャネルにより通信する無線通信システムにおける無線通信基地局において、
前記チャネルに係る上り連続受信エラーフレーム数をカウントする第２のカウンタと、
該第２のカウンタがカウントした前記上り連続受信エラーフレーム数と前記チャネルに係る通信品質とに基づいて前記チャネルを切断するか否かを判定する第２の制御部と
を備えることを特徴とする。
【００２５】
また本発明に係る無線通信基地局は、
前記第２の制御部は、
前記チャネルに係る上り受信フレームの通信品質に基づいて、第２の切断判定閾値を変更し、
前記チャネルに係る前記上り連続受信エラーフレーム数が前記第２の切断判定閾値以上である場合、前記チャネルを切断する判定をする
ことを特徴とする。
【００２６】
また本発明に係る無線通信基地局は、
前記第２の制御部は、
前記チャネルに係る前記上り受信フレームの通信品質と、前記チャネル以外の他のチャネルに係る前記上り受信フレームの通信品質とに基づいて、前記第２の切断判定閾値を変更する
ことを特徴とする。
【発明の効果】
【００２７】
本発明による無線通信システム、システムの制御方法、無線通信端末、及び無線通信基地局によれば、弱電界、強電界を問わず、無線環境に適応して通信スループットの低下を抑制することができる。
【図面の簡単な説明】
【００２８】
【図１】本発明の一実施形態に係る無線通信システムの機能ブロック図である。
【図２】本発明の一実施形態に係る無線通信端末の動作を示すフローチャート図である。
【図３】本発明の一実施形態に係る無線通信端末の強電界における連続受信エラー発生時のチャネル動作の説明図である。
【図４】本発明の一実施形態に係る無線通信端末の強電界における連続受信エラー発生時のチャネル受信状態の説明図である。
【図５】従来の無線通信端末の動作を示すフローチャート図である。
【図６】従来の無線通信端末の弱電界における連続受信エラー発生時のチャネル動作の説明図である。
【図７】従来の無線通信端末の弱電界における連続受信エラー発生時のチャネル受信状態の説明図である。
【図８】従来の無線通信端末の強電界における連続受信エラー発生時のチャネル動作の説明図である。
【図９】従来の無線通信端末の強電界における連続受信エラー発生時のチャネル受信状態の説明図である。
【００２９】
以下、本発明に係る実施形態について、図面を参照して説明する。
【００３０】
(実施の形態)
図１は、本発明の一実施形態に係る無線通信システムの機能ブロック図である。なお、図１には本発明の解決しようとする課題に関連する構成のみを記載している。無線通信システムは、無線通信端末１と、無線通信基地局２とを備える。
【００３１】
無線通信端末１は、無線制御部１０と、連続受信エラーカウンタ１２と、記憶部１３と、チャネル制御部１１及びチャネル切断制御部１４を含む制御部１５と、を備える。無線通信基地局２は、無線制御部２０と、連続受信エラーカウンタ２２と、記憶部２３と、チャネル制御部２１及びチャネル切断制御部２４を含む制御部２５と、を備える。なお無線通信基地局２の各機能については、アップリンク（上り）通信とダウンリンク（下り）通信に係る送受信関係が逆である以外無線通信端末１の各機能と同様であるため、説明は省略する。また以下の説明においては、第１及び第２のカウンタはそれぞれ連続受信エラーカウンタ１２，２２とし、第１及び第２の切断判定閾値はそれぞれ切断判定閾値１３０，２３０とし、第１及び第２の制御部はそれぞれ制御部１５，２５とする。
【００３２】
無線制御部１０は、アップリンク送信部１００と、ダウンリンク受信部１０１とを備える。アップリンク送信部１００は、１つ以上のチャネルを用いて無線通信端末１から無線通信基地局２への上り送信を行う。ダウンリンク受信部１０１は、１つ以上のチャネルを用いて無線通信基地局２から無線通信端末１への下り受信を行う。またダウンリンク受信部１０１は、フレーム受信に成功したか否かを判別する。またダウンリンク受信部１０１は、通信に用いる各チャネルに係る受信フレームの通信品質を測定し、連続受信エラーカウンタ１２に渡す。以下において、通信品質は、ＲＳＳＩ（Received Signal Strength Indicator：受信信号強度）として説明するが、ＤＳＳＩ（Desired Signal Strength Indicator：所望信号強度）、ＳＩＮＲ（Signal to Interference and Noise power Ratio：信号対干渉雑音比）、又はＦＥＲ（Frame Error Rate：フレームエラーレート）等であってもよい。
【００３３】
チャネル制御部１１は、送受信に用いるチャネルの接続及び切断を行う。具体的には、チャネル制御部１１は、チャネル切断制御部１４からのチャネル切断指示を受け取ると、切断指示に係るチャネルを切断し、未使用の他のチャネルで再接続する。
【００３４】
連続受信エラーカウンタ１２は、ダウンリンク受信部１０１から取得した通信品質をチャネル切断制御部１４に渡す。また連続受信エラーカウンタ１２は、通信を行うチャネル毎に、連続受信エラーフレーム数をカウントしてチャネル切断制御部１４に渡す。具体的には、連続受信エラーカウンタ１２は、通信をしているチャネルにおいて、フレーム受信に成功した場合、連続受信エラーフレーム数をゼロに設定する。一方、連続受信エラーカウンタ１２は、フレーム受信に失敗した場合、つまり受信エラーフレームが発生した場合、連続受信エラーフレーム数をインクリメントする。
【００３５】
記憶部１３は、後述する切断判定閾値１３０を記憶している。また記憶部１３は、チャネル切断制御部１４の制御により、切断判定閾値１３０を更新して記憶する。
【００３６】
チャネル切断制御部１４は、連続受信エラーカウンタ１２から各チャネルに係る受信フレームの通信品質又は連続受信エラーフレーム数を取得する。またチャネル切断制御部１４は、取得した通信品質が所定の閾値（以下、受信強度閾値という）以上であるか否かを判断して、切断判定閾値１３０を再計算する。具体的には、チャネル切断制御部１４は、受信フレームの通信品質が受信強度閾値以上である場合、切断判定閾値１３０を小さい値（例えば、５回）に変更して記憶部１３に記憶する。一方、チャネル切断制御部１４は、受信フレームの通信品質が受信強度閾値未満である場合、切断判定閾値１３０を大きな値（例えば、従来技術と同様に１０回）に変更して記憶部１３に記憶する。このようにして、受信フレームの通信品質が受信強度閾値以上である場合、強電界と判断してチャネル切断決定までにかかるフレーム数を短くする。逆に受信フレームの通信品質が受信強度閾値未満である場合、弱電界と判断してチャネル切断決定までにかかるフレーム数を長くする。ここで受信強度閾値は、例えば、−７５ｄＢｍである。
【００３７】
なお、本実施形態では取得した通信品質と受信強度閾値とを比較しているが、例えばチャネル切断制御部１４は、取得した通信品質を記憶部１３に記憶しておき、複数の受信フレームに係る通信品質の平均値と受信強度閾値とを比較してもよい。また例えば、通信している他のチャネルを含む通信品質と受信強度閾値とに基づいて切断判定閾値１３０を再計算してもよい。具体的には、通信をしている全てのチャネルに係る受信フレームの通信品質の平均値と受信強度閾値とを比較してもよい。このようにして、無線環境が弱電界であるか強電界であるかの判断の精度を向上できる。
【００３８】
またチャネル切断制御部１４は、連続受信エラーカウンタ１２から取得した連続受信エラーフレーム数が切断判定閾値１３０以上であるか否かを判別して、チャネルを切断するか否かを判定する。具体的には、チャネル切断制御部１４は、連続受信エラーフレーム数が切断判定閾値１３０以上である場合、受信エラーに係るチャネルを切断する指示をチャネル制御部１１に渡す。
【００３９】
図２は、本発明の一実施形態に係る無線通信端末１の動作を示すフローチャート図である。なお図２は、無線通信基地局２と通信する複数のチャネルのうち、ある１つのチャネルに対する動作を示す。まず無線通信端末１は、下り通信に係るフレーム受信を待っている（ステップＳ１）。続いてダウンリンク受信部１０１は、フレーム受信に成功したか否かを判別する（ステップＳ２）。
【００４０】
ステップＳ２において、フレーム受信に成功した場合、ダウンリンク受信部１０１は、通信に用いるチャネルに係る受信フレームの通信品質を測定する（ステップＳ３）。
【００４１】
続いて連続受信エラーカウンタ１２は、連続受信エラーフレーム数をゼロに設定する（ステップＳ４）。
【００４２】
続いてチャネル切断制御部１４は、受信フレームの通信品質が受信強度閾値以上であるか否かを判断する（ステップＳ５）。
【００４３】
ステップＳ５において、通信品質が受信強度閾値以上である場合、チャネル切断制御部１４は、切断判定閾値１３０を小さい値（例えば、５回）に変更して記憶部１３に記憶し（ステップＳ６）、ステップＳ１に戻る。一方、ステップＳ５において、通信品質が受信強度閾値未満である場合、チャネル切断制御部１４は、切断判定閾値１３０を大きい値（例えば、１０回）に変更して記憶部１３に記憶し（ステップＳ７）、ステップＳ１に戻る。
【００４４】
一方、ステップＳ２において、フレーム受信に失敗した場合、連続受信エラーカウンタ１２は、連続受信エラーフレーム数をインクリメントする（ステップＳ８）。
【００４５】
続いてチャネル切断制御部１４は、連続受信エラーカウンタ１２から取得した連続受信エラーフレーム数が切断判定閾値１３０以上であるか否かを判別する（ステップＳ９）。
【００４６】
ステップＳ９において、連続受信エラーフレーム数が切断判定閾値１３０以上である場合、チャネル制御部１１は、チャネル切断制御部１４からのチャネル切断指示を受け取ると、切断指示に係るチャネルを切断し、未使用の他のチャネルで再接続して（ステップＳ１０）、処理を終了する。
【００４７】
一方、ステップＳ９において、連続受信エラーフレーム数が切断判定閾値１３０未満である場合、ステップＳ１に戻る。
【００４８】
図３及び図４を参照して、本発明の一実施形態に係る無線通信端末１の強電界における連続受信エラー発生時の動作について具体的に説明する。図３は、本発明の一実施形態に係る無線通信端末１の強電界における連続受信エラー発生時のチャネル動作の説明図である。図４は、本発明の一実施形態に係る無線通信端末１の強電界における連続受信エラー発生時のチャネル受信状態の説明図である。図３及び図４では、無線通信端末１は、３つのチャネル（チャネル１，３，５）を用いて無線通信基地局２と通信している。また図３及び図４では、ＡＦＮ１００〜１１５までの計１６フレームを示している。
【００４９】
まずＡＦＮ１００及び１０１において、チャネル３に係る下り受信品質は−６９ｄＢｍであり、受信強度閾値を−７５ｄＢｍとした場合、受信品質が良く強電界と判断できる。このため、チャネル切断制御部１４は、切断判定閾値１３０を５回に変更している。
【００５０】
次にＡＦＮ１０２〜１０６において、チャネル３で受信エラーフレームが連続して５回発生しており、この間は２つのチャネルで通信しているため通信スループットが低下している。ここでＡＦＮ１０６において連続受信エラーフレーム数が切断判定閾値１３０以上となったため、チャネル切断制御部１４は、チャネル３を切断する指示をチャネル制御部１１に渡し、チャネル制御部１１は、チャネル３を切断し、未使用のチャネル７で再接続している。
【００５１】
そしてＡＦＮ１０７〜１１５において、無線通信端末１は、３つのチャネル（チャネル１，５，７）を用いて通信しているため通信スループットが維持されている。強電界であるため、チャネル７に係る受信品質は受信強度閾値（−７５ｄＢｍ）と比較して良好であり、チャネル７による再接続が容易に行われている。
【００５２】
従って、強電界で突然受信エラーが連続して発生した場合、通信スループットが低下しているのはＡＦＮ１０２〜１０６の５フレーム（２５ｍ秒間）であり、従来技術（１０フレーム、５０ｍ秒間）と比較して通信スループットが低下している時間が半分となる。
【００５３】
このように、本発明によれば、弱電界において不要なチャネル切断を抑制するとともに、強電界において通信エラーが発生した場合、未使用の他のチャネルへ迅速に切り替えることが可能となる。すなわち、従来技術のようにチャネル切断までの連続受信エラーフレーム数の閾値が固定の場合と比べ、弱電界において同等の通信スループットを維持し、強電界において通信スループットを向上する。従って、弱電界、強電界を問わず、無線環境に適応して通信スループットの低下を抑制することができる。
【００５４】
また、本発明は、ＴＤＤ（Time Division Duplex：時分割複信）、ＦＤＤ（Frequency Division Duplex：周波数分割複信）の何れの無線通信システムにも適用が可能である。
【００５５】
なお、上述の実施形態においては、１つの受信強度閾値（−７５ｄＢｍ）を用いて弱電界と強電界の判断をしているが、受信強度閾値を２つ以上定めて電界の強度を判断してもよい。そしてこの場合、電界の強度が高い程、切断判定閾値１３０を小さくするように変更する。例えば、第１の受信強度閾値を−７５ｄＢｍ、第２の受信強度閾値を−９０ｄＢｍとした場合、受信フレームに係る通信品質が第１の受信強度閾値以上であれば強電界とみなして、切断判定閾値１３０を５回に変更する。また通信品質が第２の受信強度閾値以上であって第１の受信強度閾値未満であれば中電界とみなして、切断判定閾値１３０を７回に変更する。また通信品質が第２の受信強度未満であれば弱電界とみなして、切断判定閾値１３０を１０回に変更するようにしてもよい。
【００５６】
本発明を諸図面に基づき説明してきたが、当業者であれば本開示に基づき種々の変形や修正を行うことが容易であることに注意されたい。例えば、各手段、各ステップ等に含まれる機能等は論理的に矛盾しないように再配置可能であり、複数の手段やステップ等を１つに組み合わせたり、或いは分割したりすることが可能である。
【符号の説明】
【００５７】
１        無線通信端末
１０      無線制御部
１００    アップリンク送信部
１０１    ダウンリンク受信部
１１      チャネル制御部
１２      連続受信エラーカウンタ
１３      記憶部
１３０    切断判定閾値
１４      チャネル切断制御部
１５      制御部
２        無線通信基地局
２０      無線制御部
２００    アップリンク受信部
２０１    ダウンリンク送信部
２１      チャネル制御部
２２      連続受信エラーカウンタ
２３      記憶部
２３０    切断判定閾値
２４      チャネル切断制御部
２５      制御部
【図１】
2014179691.tif 000003
【図２】
2014179691.tif 000004
【図３】
2014179691.tif 000005
【図４】
2014179691.tif 000006
【図５】
2014179691.tif 000007
【図６】
2014179691.tif 000008
【図７】
2014179691.tif 000009
【図８】
2014179691.tif 000010
【図９】
2014179691.tif 000011